(57)【要約】      （修正有） 【課題】掲示板と連携した宣伝・コミュニケーション促進用に資するフレキシブル掲示板及び宣伝・コミュニケーション促進用掲示板システムを提供する。【解決手段】自身で作成した伝言（表示シート）をクリアホルダーなどに収納した掲示板１を、左・右のホルダー２、３で挟持、容易に差し替えを可能とし、この掲示板ホルダーを支持金具または樹脂製ホルダー支持板で、ホルダーに傾斜を持たせ観やすくしたほか、ホルダー正面には自身のＰＣでラベル印刷したデザインをカードに貼り付け、デザインカードを選択可能とした掲示板ユニットにすると共に、宣伝・コミュニケーション促進のため、掲示板１と連携した映像コンテンツを外部モニター１２に映写することができるＰＣ利用掲示板システムとした。【選択図】図６
0003208519.tif 000002
【実用新案登録請求の範囲】
【請求項１】
表示シートの収納が可能な硬質クリアホルダーまたは厚手のラミネート
フィルムで保護した掲示板を、樹脂で作った左・右の掲示板ホルダーのスリットに差し込み保持して、Ａ−３以下の任意の大きさの掲示板に合わせ、差し替えを可能とするホルダーを持つ、フレキシブル掲示板
【請求項２】
請求項１記載の前記掲示板ホルダーは、厚さ１ｍｍ以下の金属板を折り曲げ、ホルダーに傾斜を持たせて置くことができるホルダー支持金具またはホルダー裏面に嵌め合わせピンを持つ弾性樹脂支持板で左右のホルダーに傾斜を持たせるホルダー支持具を備えたことを特徴とするフレキシブル掲示板
【請求項３】
請求項１記載の掲示板ホルダーは、ホルダー正面に名刺やはがきサイズの
カードを配置し、パソコン（ＰＣ）でラベル印刷したデザインを張り付ける
ことで、デザインカードを選択可能とした特徴を持つ、フレキシブル掲示板
【請求項４】
請求項１、２、３記載のフレキシブル掲示板を、机上台前面に置き、タブレ
ットＰＣで選択された関連コンテンツを、机上台上の外部モニターに映写する宣伝・コミュニケーション促進用掲示板システム
【請求項５】
ＬＥＤ植物育成灯具と光反射板の設置を可能とする、組み立てパイプを
使った架台上に、木製灯具枠とフレキシブル掲示板の設置に必要な化粧板
が容易に取り付けできる構造を持つ、植物鑑賞型掲示板システム用架台
【請求項６】
請求項５記載の前記架台で、予めクラウドコンピュータに準備した掲示板
関連のコンテンツをＰＣホームページで選択、灯具枠上に載せた外部モニター
に映写する、植物鑑賞型宣伝・コミュニケーション促進システム
【考案の詳細な説明】
【技術分野】
【０００１】
本考案は、Ａ−３以下の任意の大きさの掲示板（表示シート）を容易に保持
差し替えを可能とし、掲示板ホルダー前面にＰＣでラベル印刷した自分好みの
デザインをカードに張り付け、愛着を感じて貰うほか掲示内容と関連して
タブレットＰＣなどで選択したコンテンツを、外部モニター（ＴＶ）に映写
する宣伝・コミュニケーション促進用掲示板システムである  
【背景技術】
【０００２】
小型シートなどの掲示板システムについては、下記特許文献３などに提案
されており、ＰＣを使ったモニター画像との組み合わせに関する特許情報は
用途が限定されている、しかしＩＴの進歩もあり、情報量が多い場合は、特許
文献４などネットワークを使った電子掲示板が多く使われている、
【先行技術文献】
【特許文献】
【０００３】
【特許文献１】特開2012-192723号公報
【特許文献２】実用新案  第3030408号公報
【特許文献３】特開2005-07376号公報
【特許文献４】特開2006-106953号公報
【考案の概要】
【０００４】
長く伝えたい内容をＰＣで印刷するなどして自身で表示シートを作成、
ラミネートやクリアホルダーで保護・収納し、これを、考案した掲示板ホル
ダーの左右スリットに差し込み保持するとして、ＰＣでラベル印刷したロゴ
などをホルダー上部に、また正面には好みのデザインを印刷したラベルを、
自身でカードに貼り付け、このデザインカードを両面テープでホルダーに
貼り付け選択を可能としたほか、Ａ−３以下の任意の大きさの掲示板を左右の
ホルダーで容易に保持・差し替えを可能として、この掲示板に傾斜を持たせ
観やすくするため、ホルダー支持金具や樹脂製支持板を考案、これらを合わせ
図１に示すものを、フレキシブル掲示板ユニットとした
【０００５】
宣伝やコミュニケーション効果を高めるため、机上台の前面にこの掲示板
ユニットを配置、台上には外部モニター（ＴＶ）などを設置し、掲示板表示内容に関連したコンテンツ映像を写すことで宣伝・コミュニケーション促進を促す
図４に記載するシステムをＰＣ利用掲示板システムとした
【０００６】
更にオフィス受付などに独立して配置するため、パイプ組み立て架台上で
図５に示す選定したＬＥＤ植物育成灯具に則した構造の化粧板などを取り付け、この上に載せる灯具枠（選定した机上台もあり）上に、外部モニター（ＴＶ）を配置、花育成などの癒し効果も取り入れ、前項に準じ植物鑑賞型掲示板システムとした
【考案が解決しようとする課題】
【０００７】
イ. Ａ−４やＡ−３サイズの掲示板ホルダーを,３Ｄプリンターなどを使って
樹脂一体成型した掲示板ユニットは、高価となり普及品はなく、デザイン
などで価値を感じて貰えるものにする必要がある  
ロ. 会社などの受付で使用して貰うには、癒し効果や映像などを加味したシス
テムで、興味を誘うコンテンツを提供する必要があり、ホームページなどによる製品紹介や利用体験を通じて、愛好者を増やすことが求められる、
【課題を解決するための手段】
【０００８】
1. ＤｏＩｔＹｏｕｒＳｅｌｆによる自分好みのデザインカード製作の協同化や、金型による樹脂の押出成形をすれば、大幅なコストダウンが見込まれ、左・右のシートホルダーを裏表共通形態にして金型の製作コストを抑える
ほか、観やすくするためのホルダー支持用具の金属板折り曲げや支持板一体
成型などによりコスト低減を図る
２. 展示会への出品やクラウドファンディングで開発に賛同する仲間を募り、ベースとなる掲示板ホルダーやコンテンツ開発に適したデザインなどの共用化を図り、需要を掘り起こし、製作ロットサイズを大きくして単価を抑え
普及を促す
【考案の効果】
【０００９】
本考案の掲示板ユニットは、個人やグループが取り組む目標や計画実現に
向けたポイントなどを掲示するとして、個人の愛好者を増やし、成果達成に
向けたツールとして、普及につなげる活動のベースをつくる
【００１０】
会社・団体向けでは、デザインをより洗練させ商品イメージに仕上げ、社訓を始め、組織人としての部門目標・取り決めなどを通じたコミュニケーション促進に役立つコンテンツの協同開発を提案する
【００１１】
この実効性を高めるため、クラウドファンディングで賛同した仲間に、本開発品を提供して会員になって貰い、利用者の立場から使い勝手やコンテンツ製作などで意見を交換、宣伝・コミュニケーション促進用システムの付加価値を高める
【図面の簡単な説明】
【００１２】
【図１】・・・掲示板ユニット構成図
【図２】・・・掲示板ホルダー右姿図
【図３】・・・掲示板ホルダー支持金具と樹脂製支持板
【図４】・・・宣伝・コミュニケーション促進用掲示板システム図
【図５】・・・ＬＥＤ植物育成灯具含む掲示板システム架台平面図
【図６】・・・植物鑑賞型掲示板システム姿図
【考案を実施するための形態】
【００１３】
（第１実施形態）フレキシブル掲示板ユニット    
個人やグループでの目標達成計画や注意書きなどの使用を想定した掲示板
ユニットで請求項１〜３について、図面を用いて説明する
【００１４】
図１の掲示板は、表示したい内容を自身のＰＣなどでＡ−４やＡ−３横にて
作成した表示シートを、収納可能な硬質クリアホルダーや厚手ラミネートフィルムで保護した掲示板を、図２に示す左右の樹脂製掲示板ホルダーのスリットで保持するもので、この掲示板に傾斜を持たせ観やすくするため、図３に示す７−ａホルダー支持金具や７−ｂの支持板を考案、
【００１５】
この掲示板ホルダーに特徴を持たせるため、,ホルダー正面に自分好みのデザインを印刷した６ラベルシールを貼り付ける４カードを準備すると共に、上部には５ロゴなどのラベルシールを貼り付け、左・右のホルダーでＡ−３横以下の任意の大きさの掲示板を保持・差し替えを可能とする、フレキシブル掲示板ユニットとした、
【００１６】
（第２実施形態）ＰＣ利用掲示板システム
請求項４について、図４を用いて説明する
【００１７】
第１実施形態の掲示板ユニットを,９机上台の正面に配置、10タブレットＰＣと11ＨＤＭＩ（登録商標）ケーブルで接続された１2外部モニター（ＴＶ）を机上台の上に設置、クラウドコンピュータに準備した掲示板関連コンテンツを10ＰＣで選択して、12外部モニターに映写、宣伝やコミュニケーションの
効果を高めるＰＣ利用掲示板システムとした
【００１８】
（第３実施形態）植物鑑賞型掲示板システム
請求項６について、図５と図６を用いて説明する
【００１９】
受付などに設置するには、植物鑑賞などの癒し効果も重要で、第２実施形態の応用として、図５に示す選択したＬＥＤ植物育成灯具の設置が可能な組み立て型架台を製作、この上に植物育成に適した13ＬＥＤ灯具を載せ、シクラメンなどを使い、架台の高さを変えて実験、花の鑑賞と使い勝手から架台の高さを約６０ｃｍとして、18アルミ板などの光反射板と20タイマーを取り付け、光の照射を調節することで、花の延命に効果があると判断したが、花の種類などによって
水遣り頻度なども重要な要素と判り、ここでは、花鑑賞などの癒し効果を取り入れ、図６に示す植物鑑賞型掲示板システムとした
【産業上の利用可能性】
【００２０】
観光施設や園芸店、住宅リフォーム店などでは、映像などによる宣伝・コミュ
ニケーション促進による集客効果が見込め、図４や図６のシステムで業績向上に役立てるほか、必要に応じ公民館などの受付けに設置願い、市民有志が作った
地域の観光写真など芸術作品に関する案内板システムとして、地域の活性化に
役立てる        
【符号の説明】
【００２１】
ここでは、外部モニターの映像を制御するタブレットＰＣなどのシステムは、構成品のみを示し、映像コンテンツなどソフト製作手法については、触れない
１  掲示板（表示シートの保護・保持）
２  掲示板左ホルダー（樹脂製）
３  掲示板右ホルダー（樹脂製）
４  デザインカード（名刺やはがきサイズデザインシール貼り付け用）  
５  ラベル印刷シール１（ロゴなど貼り付けシール）
６  ラベル印刷シール２（デザイン貼り付けシール）
７  掲示板ホルダー支持用具
７−ａ（金属板折り曲げホルダー支持具）
７−ｂ（ホルダー裏面嵌め合わせ樹脂製支持板）
８  机など机上台置き場所
９  机上台（選択された市販品）
10  タブレットＰＣ（クラウドコンピュータとインターネット接続）
11  ＨＤＭＩ(登録商標）ケーブル
12  外部モニター（２４インチまでのＴＶ）
13  ２２５ＬＥＤ灯具（登録商標）消費電力14W、枠寸法310x310x33）
13−ａ（赤・青ＬＥＤ灯具）
13−ｂ（白色ＬＥＤ灯具）
14  イレクターパイプ組み立て（登録商標）型架台
（大きさは13灯具サイズに則したもので、高さは使い勝手より約60cm ）
15  灯具支持板（ＬＥＤ灯具寸法に則して）
16  灯具仕切り板（ＬＥＤ灯具寸法則して）
17  掲示板ユニット据付け化粧板（ホルダー支持具寸法などから）
18  木製自家灯具枠（選定された机上台もあり）
19  灯具光反射板 （パネルキャッチ上部側面＆後面パイプにアルミ板など）
20  AC100 V ２４時間タイマー （自動ＯＮ―ＯＦＦ可能なもの）
21  鑑賞用植物（癒し効果を持つ花など植木）
【図１】
0003208519.tif 000003
【図２】
0003208519.tif 000004
【図３】
0003208519.tif 000005
【図４】
0003208519.tif 000006
【図５】
0003208519.tif 000007
【図６】
0003208519.tif 000008
【手続補正書】
【提出日】平成28年11月15日(2016.11.15)
【手続補正１】
【補正対象書類名】実用新案登録請求の範囲
【補正対象項目名】全文
【補正方法】変更
【補正の内容】
【実用新案登録請求の範囲】
【請求項１】
表示シートの収納が可能な硬質クリアホルダーまたは厚手のラミネート
フィルムで保護した掲示板を、樹脂で作った左・右の掲示板ホルダーのスリットに差し込み保持して、Ａ−３以下の任意の大きさの掲示板に合わせ、差し替えを可能とするホルダーを持つ、フレキシブル掲示板
【請求項２】
請求項１記載の前記掲示板ホルダーは、厚さ１ｍｍ以下の金属板を折り曲げ、ホルダーに傾斜を持たせて置くことができるホルダー支持金具またはホルダー裏面に嵌め合わせピンを持つ弾性樹脂支持板で左右のホルダーに傾斜を持たせるホルダー支持具を備えたことを特徴とするフレキシブル掲示板
【請求項３】
請求項１記載の掲示板ホルダーは、ホルダー正面に名刺やはがきサイズのカードを配置し、パソコン（ＰＣ）でラベル印刷したデザインを張り付けることで、デザインカードを選択可能とした特徴を持つ、フレキシブル掲示板
【請求項４】
請求項１〜３のいずれか１項に記載のフレキシブル掲示板を、机上台正面に置き、タブレットＰＣで選択された関連コンテンツを、机上台上の外部モニターに映写する宣伝・コミュニケーション促進用掲示板システム
【請求項５】
組み立てパイプを使った架台で、上部に設けたＬＥＤ植物育成木製灯具枠上に請求項４記載の掲示板システムを構築する植物鑑賞型掲示板システム用架台
【請求項６】
請求項５記載の木製灯具枠上に乗せた外部モニターに、予めクラウドコンピュータに準備した掲示板関連のコンテンツをＰＣホームページで選択して映写する請求項４記載のシステムを有する、植物鑑賞型掲示板システム